(57)【要約】      （修正有）【課題】メガネを調整する際には、レンズと装用者の目との相対位置を調整する必要があるが、この調整作業は専門家の手を借りて行わねばならず、ユーザーが購入後にその調整を行うのは実際上不可能であった。【解決手段】鼻当て板２の対向した一対の長辺から折り返した部材４と、該折り返し部材４の開放側端縁には、接合部材６が外側に向かって左右対称かつ一体的に形成されており、アーチ形に弯曲して鼻当て板２を裏面側から弾性的に支持するブリッジ状保持体３となっており、このブリッジ状保持体３の接合箇所にはレール状の案内突条１２が形成されているノーズパッド本体１と；前記案内突条１２に滑動自在に嵌め込まれる凹状断面を有する頭部１４と、該頭部１４から下方に向かって一体的に延設され、下部はメガネフレームのパッドボックス１５に挿入される挿入部１６となっている柱状の基部１７とからなる滑動部材１１；から可変ノーズパッドを構成した。【選択図】図１
2008292917.tif 000002
【特許請求の範囲】
【請求項１】
長径と短径とを有する略小判形の平面形状を呈した弾性を有する合成樹脂製の鼻当て板（２）の対向した一対の長辺から折り返した部材（４）が下方に向かってそれぞれ一対的に延設されていると共に、該折り返し部材（４）の開放側端縁には、直線状の凹溝（５）が上面に形成されている接合部材（６）が外側に向かって左右対称かつ一体的に形成されており、前記一対の接合部材（６）（６）同士が当接されることにより、前記折り返し部材（４）がアーチ形に弯曲して鼻当て板（２）を裏面側から弾性的に支持するブリッジ状保持体（３）となっており、このブリッジ状保持体（３）の接合箇所には長径方向にレール状の案内突条（１２）が形成されているノーズパッド本体１と；前記案内突条（１２）に滑動自在に嵌め込まれる凹状断面を有し、その上縁内側には前記凹溝（５）に係合する突起（１３）が対向して一体的に形成された頭部（１４）と、該頭部（１４）から下方に向かって一体的に延設され、下部はメガネフレームのパッドボックス（１５）に挿入される挿入部（１６）となっている柱状の基部（１７）とからなる滑動部材（１１）；から構成されることを特徴とする可変ノーズパッド。
【請求項２】
長径と短径とを有する略小判形の平面形状を呈した弾性を有する合成樹脂製の鼻当て板（２）の対向した一対の長辺から折り返した部材（４′）が下方に向かってそれぞれ一対的に延設されていると共に、該折り返し部材（４′）の下端には、一対の平行な垂直辺（２３）（２４）とこれら垂直辺（２３）（２４）の上端で両者を連結する水平辺（２５）とを有し、一方の垂直辺（２３）が他方の垂直辺（２４）より長く形成されている逆鉤形断面をなした接合部材（６′）が、その長い方の垂直辺（２３）を折り返し部材（４′）の下端にこれと直線状に、かつ一体的に形成されており、前記一対の接合部材（６′）（６′）同士が当接されることにより、前記折り返し部材（４′）がアーチ形に弯曲して鼻当て板（２）を裏面側から弾性的に支持するブリッジ状保持体（３′）となっており、このブリッジ状保持体（３′）の接合箇所には長径方向に開口部の幅が狭く、内部空間の幅が広い案内溝２６が形成されているノーズパッド本体（１′）と；前記案内溝（２６）に滑動自在に嵌め込まれる略Ｔ字形断面を有す頭部（１４′）と、該頭部（１４′）から下方に向かって一体的に延設され、下部はメガネフレームのパッドボックス（１５）に挿入される挿入部（１６）となっている柱状の基部（１７）とからなる滑動部材（１１′）；から構成されることを特徴とする可変ノーズパッド。
【請求項３】
端縁に形成されている折り曲げ部（２１）によって連結されている同形の分割片（２２）（２２）を重ね合わせることにより、ブロック状をなした滑動部材（１１）を構成する様にしたことを特徴とする請求項１記載の可変ノーズパッド。
【請求項４】
鼻当て板（２）に対して、案内突条（１２）が斜めに傾斜する様に設けられていることを特徴とする請求項１記載の可変ノーズパッド。
【発明の詳細な説明】
【技術分野】
【０００１】
この発明はメガネの構成部品であるノーズパッド、詳しくは、メガネの保持位置を上下に変更可能なノーズパッドに関するものである。
【背景技術】
【０００２】
メガネを調製する際には、レンズと装用者の目との相対位置を調整する必要があり、通常はメガネ小売店が販売の際にこの作業を行っている。
【特許文献１】なし
【非特許文献１】なし
【発明の開示】
【発明が解決しようとする課題】
【０００３】
このレンズと目との相対位置を調整する作業は、快適な装用感を得る為には、遠視用メガネ、近視用メガネの別なくあらゆるメガネにおいて必要であるが、この作業をユーザーが自分で行うのはなかなかむずかしく、専門家の手を借りなければならないのが現状である。
【０００４】
一方、近年は、一つのレンズの内に凸レンズ領域と凹レンズ領域とが併存している累進レンズを用いた遠近両用メガネが中高年に多く利用されているが、この遠近両用メガネにおいては、装用者の負担を軽減させる為、メガネの保持位置を上下に変更し、凸レンズ領域と凹レンズ領域とを無理なく使い分けられる可変機構が求められていたが、従来提案されたものの多くは、構造が複雑に過ぎ、過大な製造コストを要するにもかかわらず、位置の変換がスムーズに行えなかったり、既存のメガネフレームにそのまま取り付けられなかったりするなど、満足の行くものはほとんど見当たらなかった。
【０００５】
本発明者は、上記問題点を解決すべく鋭意研究を行った結果、メガネの上下位置を自由に変更出来、遠近両用メガネ用としても最適な可変ノーズパッドを開発することに成功し、本発明としてここに提案するものである。
【課題を解決するための手段】
【０００６】
長径と短径とを有する略小判形の平面形状を呈した弾性を有する合成樹脂製の鼻当て板（２）の対向した一対の長辺から折り返した部材（４）が下方に向かってそれぞれ一対的に延設されていると共に、該折り返し部材（４）の開放側端縁には、直線状の凹溝（５）が上面に形成されている接合部材（６）が外側に向かって左右対称且つ一体的に形成されており、前記一対の接合部材（６）（６）同士が当接されることにより、前記折り返し部材（４）がアーチ形に弯曲して鼻当て板（２）を裏面側から弾性的に支持するブリッジ状保持板（３）となっており、このブリッジ状保持板（３）の接合箇所には長径方向にレール状の案内突条（１２）が形成されているノーズパッド本体（１）と；前記案内突条（１２）に滑動自在に嵌め込まれる凹状断面を有し、その上縁内側には前記凹溝（５）に係合する突起（１３）が対向して一体的に形成された頭部（１４）と、該頭部（１４）から下方に向かって一体的に延設され、下部はメガネフレームのパッドボックス（１５）に挿入される挿入部（１６）となっている柱状の基部（１７）とからなる滑動部材（１１）；から可変ノーズパッドを構成することにより、上記課題を解決した。又、長径と短径とを有する略小判形の平面形状を呈した弾性を有する合成樹脂製の鼻当て板（２）の対向した一対の長辺から折り返した部材（４′）が下方に向かってそれぞれ一対的に延設されていると共に、該折り返し部材（４′）の下端には、一対の平行な垂直辺（２３）（２４）とこれら垂直辺（２３）（２４）の上端で両者を連結する水平辺（２５）とを有し、一方の垂直辺（２３）が他方の垂直辺（２４）より長く形成されている逆鉤形断面をなした接合部材（６′）が、その長い方の垂直辺（２３）を折り返し部材（４′）の下端にこれと直線状に、かつ一体的に形成されており、前記一対の接合部材（６′）（６′）同士が当接されることにより、前記折り返し部材（４′）がアーチ形に弯曲して鼻当て板（２）を裏面側から弾性的に支持するブリッジ状保持体（３′）となっており、このブリッジ状保持体（３′）の接合箇所には長径方向に開口部の幅が狭く、内部空間の幅が広い案内溝２６が形成されているノーズパッド本体（１′）と；前記案内溝（２６）に滑動自在に嵌め込まれる略Ｔ字形断面を有す頭部（１４′）と、該頭部（１４′）から下方に向かって一体的に延設され、下部はメガネフレームのパッドボックス（１５）に挿入される挿入部（１６）となっている柱状の基部（１７）とからなる滑動部材（１１′）；から可変ノーズパッドを構成することにより、上記課題を解決した。
【発明の効果】
【０００７】
滑動部材１１及び１１′はいずれもノーズパッド本体１あるいは１′の裏側に設けられているブリッジ状保持板３あるいは３′にスライド自在に取り付けられているので、この滑動部材１１あるいは１１′を上下に適当量スライドさせることにより、装用者の目とレンズとの相対位置を自由に調整することが可能で、フィッティング作業が極めて容易で、ユーザー自らこの作業を実施することが出来、常に自分にジャストフィットしたメガネを使用することが可能となる。
【０００８】
又、特に、累進レンズを用いた遠近両用メガネにおいては、メガネの保持位置を上下に変更することにより、凸レンズ領域と凹レンズ領域とを簡単に使い分けることが可能となり、遠近両用メガネの機能をより一層有効に利用することが出来る。更に、ブリッジ状保持部３あるいは３′が弾性的にノーズパッド本体１あるいは１′を保持しているので、ノーズパッド本体１あるいは１′の装用者の鼻へのフィット感も良好で、長時間の装用でも痛みや違和感が発生するおそれがなく、振動やショックに対しての対抗力もすぐれている。
【０００９】
しかも、ノーズパッド本体１あるいは１′も、滑動部材１１あるいは１１′もそれぞれ一体的に成形された単一部材から構成されているので、製作だけではなく、組み立ても容易な上に、部品数が少ない為、製造コストも低く、耐久性にもすぐれている。更に又、既存のメガネフレームのパッドボックスに何らの改造を加えることなく、そのまま取り付けることが可能であり、高い互換性を有している。
【発明を実施するための最良の形態】
【００１０】
それぞれ単一部品で構成された製造の容易なノーズパッド本体と滑動部材とを組み合わせた点に最大の特徴が存する。
【実施例１】
【００１１】
図１はこの発明に係る可変ノーズパッドの実施例１の斜視図、図２はその要部であるノーズパッド本体の斜視図、図３はその組み立て前の状態の平面図、図４は実施例１の裏面図、図５はその平面図、図６はその側面図である。
【００１２】
図中１はノーズパッド本体であり、鼻当て板２とその裏面側に位置したブリッジ状保持板３とから構成されている。鼻当て板２は長径と短径とを有する略小判形の平面形状を呈しており、弾性を有する合成樹脂、たとえば軟質のエラストマーなどを素材としている。そして、金型から取り出されたままの状態のノーズパッド本体１においては、図３に示す様に、この鼻当て板２の対向する一対の長辺からはほぼ矩形を呈した折り返し部材４が下方に向かって、それぞれ一体的に延設されており、この折り返し部材４の開放端側の端縁には、直線状の凹溝５が上部に形成されている接合部材６がそれぞれ外側に向かって左右対称かつ一体的に形成されている。
【００１３】
又、一方の接合部材６の底面からは、小さな柱状突起７が下方に向かって突設されており、もう一方の接合部材６の対応する位置には前記柱状突起７が嵌入せしめられる嵌入孔８が形成されている。更に、接合部材６の長手方向両端部の底面には後記する滑動部材１１の滑動範囲を規制するストッパー用の突起９がそれぞれ形成されている。
【００１４】
そして、この様な状態にあるノーズパッド本体１において、図５に示す様に、一対の接合部材６同士を接合し、柱状突起７を嵌入孔８に嵌入せしめることにより、一対の押し返し部材４、４をアーチ形に弯曲させてブリッジ状保持体３とし、鼻当て板２をその裏面側から弾性的に支持する様にすると共に、ブリッジ状保持体３の接合部に長径と平行にレール状の案内突条１２を形成する。
【００１５】
一方、１１は滑動部材であり、図７に示す様に、前記案内突条１２に滑動自在に嵌め込まれる凹形断面を有し、その上縁内側に案内突条１２の凹溝５に係合する外れ止め用の突起１３が一体的に対向して形成されている頭部１４と、該頭部１４から下方に向かって一体的に延設され、下部はメガネフレームのパッドボックス１５に挿入枢支される挿入部１６となっている柱状の基部１７とから構成されており、合成樹脂を素材としている。
【００１６】
又、挿入部１６の側面には、パッドボックス１５の対向した側壁２０、２０間に渡された枢支軸１８が挿入される貫通孔１９が形成されている。
【００１７】
なお、上記実施例においては、滑動部材１１ははじめからブロック状に形成したが、図１０に示す様に、挿入部１６寄りの端縁に形成されている折り曲げ部２１によって連結されている同形の分割片２２、２２を重ね合わせ、図９に示す様な滑動部材１１を組み立て、これをノーズパッド本体１に取り付けても良く、この場合には、頭部１４に形成されている外れ止め用の突条１３を外側から案内突条１２に係合させることが出来るので、組み立て作業がより一層容易になる効果を有する。又、上記実施例においては、ブリッジ状保持体３に形成されている案内突条１２は鼻当て板２の裏面と平行になっているが、図１１に示す様に、鼻当て板２の裏面に対して案内突条１２が斜めに傾斜する様に角度θをつけても良く、この場合には、累進レンズを用いる遠近両用メガネ用として特に適している。
【実施例２】
【００１８】
次に、図１２及び図１３に基づいて、この発明に係わる可変ノーズパッドの実施例２について説明する。
【００１９】
図中１′はノーズパッド本体であり、鼻当て板２とその裏面側に位置したブリッジ状保持板３′とから構成されている。鼻当て板２は前述の実施例１と同じく、長径と短径とを有する略小判形の平面形状を呈しており、弾性を有する合成樹脂、たとえば軟質のエラストマーなどを素材としている。そして、金型から取り出されたままの状態のノーズパッド本体１′においては、図１３に示す様に、この鼻当て板２の対向する一対の長辺からはほぼ矩形を呈した折り返し部材４′が下方に向かって、それぞれ一体的に延設されており、この折り返し部材４′の下端には接合部材６′がそれぞれ左右対称かつ一体的に形成されている。接合部材６′は、一対の平行な垂直辺２３、２４とこれら垂直辺２３、２４の上端でこれらを連結する水平辺２５を有し、一方の垂直辺２３が他方の垂直辺２４より長く形成されている略鉤形断面をなしており、長い方の垂直辺２３が折り返し部材４′の下端にこれと直線状に、かつ一体的に接続されている。そして、この様な状態にあるノーズパッド本体１′において、図１２に示す様に、一対の接合部材６′同士を接合し、一対の押し返し部材４′、４′をアーチ形に弯曲させてブリッジ状保持体３′とし、鼻当て板２をその裏面側から弾性的に支持する様にすると共に、ブリッジ状保持体３の接合部に長径方向に開口部の幅が狭く、内部空間の幅が広い案内溝２６を形成する。
【００２０】
一方、１１′は滑動部材であり、図１２に示す様に、前記案内溝２６に滑動自在に嵌め込まれる略Ｔ字形断面を有する頭部１４′と、該頭部１４′から下方に向かって一体的に延設され、下部はメガネフレームのパッドボックス１５に挿入枢支される挿入部１６となっている柱状の基部１７とから構成されており、合成樹脂を素材としている。他の部分は前述の実施例１と同じであり、同一符号を付してその証明を省略する。
【００２１】
上記実施例１及び２はそれぞれ上述の通りの構成を有するものであり、滑動部材１１及び１１′はノーズパッド本体１あるいは１′の裏側に設けられているブリッジ状保持体３あるいは３′にスライド自在に装着せしめられているので、この滑動部材１１あるいは１１′を上下に適当量スライドさせることにより、装用者の目とレンズとの相対位置を自由に調整することが可能で、フィッティング作業が極めて容易で、ユーザー自らもこの作業を実施することが出来、常に自分にジャストフィットしたメガネを使用することが可能となる。
【００２２】
又、特に、累進レンズを用いた遠近両用メガネにおいては、メガネの保持位置を上下に変更することにより、凸レンズ領域と凹レンズ領域とを簡単に使い分けることが可能で、遠近両用メガネの機能をより一層有効に利用することが出来る。更に、ブリッジ状保持部３あるいは３′が弾性的にノーズパッド本体１あるいは１′を保持しているので、ノーズパッド本体１あるいは１′の装用者の鼻へのフィット感も良好で、長時間の装用でも痛みや違和感が発生するおそれはなく、振動やショックに対しての対抗力もすぐれている。
【００２３】
しかも、ノーズパッド本体１あるいは１′も、滑動部材１１あるいは１１も′それぞれ一体的に成形された単一部材から構成されているので、製作だけではなく、組み立ても容易な上に、部品数が少ない為、製造コストも低く、耐久性にもすぐれている。更に又、既存のメガネフレームのパッドボックスに何らの改造を加えることなく、そのまま取り付けることが可能であり、高い互換性を有している。
【産業上の利用可能性】
【００２４】
遠視用、近視用など、あらゆるメガネに利用可能である。
【図面の簡単な説明】
【００２５】
【図１】この発明に係わる可変ノーズパッドの実施例１の全体の斜視図。
【図２】同じく、実施例１のノーズパッド本体１の斜視図。
【図３】同じく、実施例１のノーズパッド本体１の組み立て前の状態の平面図。
【図４】同じく、実施例１の裏面図。
【図５】同じく、実施例１の組み立てた状態の平面図。
【図６】同じく、実施例１の側面図。
【図７】同じく、実施例１の滑動部材の斜視図。
【図８】同じく、実施例１をメガネフレームのパッドボックスに装着した状態の斜視図。
【図９】滑動部材の他の実施例の斜視図。
【図１０】図９に示す滑動部材の組み立て前の状態の平面図。
【図１１】遠近両用メガネ用に特に適した実施例の側面図。
【図１２】この発明に係わる可変ノーズパッドの実施例２の組み立てた状態の平面図。
【図１３】同じく、実施例２のノーズパッド本体１′の組み立て前の状態の平面図。
【符号の説明】
【００２６】
１    ノーズパッド本体
２    鼻当て板
３    ブリッジ状保持体
４    折り返し部材
５    凹溝
６    接合部材
７    柱状突起
８    嵌入孔
９    突起
１１    滑動部材
１２    案内突条
１３    突起
１４    頭部
１５    パッドボックス
１６    挿入部
１７    基部
１８    枢支軸
１９    貫通孔
２０    側壁
２１    折り曲げ部
２２    分割片
２３    垂直
２４    垂直
２５    水平辺
２６    案内溝
【図１】
2008292917.tif 000003
【図２】
2008292917.tif 000004
【図３】
2008292917.tif 000005
【図４】
2008292917.tif 000006
【図５】
2008292917.tif 000007
【図６】
2008292917.tif 000008
【図７】
2008292917.tif 000009
【図８】
2008292917.tif 000010
【図９】
2008292917.tif 000011
【図１０】
2008292917.tif 000012
【図１１】
2008292917.tif 000013
【図１２】
2008292917.tif 000014
【図１３】
2008292917.tif 000015